(57)【要約】      （修正有）【課題】構造が簡単で、クリーニングがしやすく、手間が低減され、ろ過効果に優れ、作業効率の高い吸収式冷温水ユニットの外付け磁性フィルタを提供する。【解決手段】発生器と、凝縮器と、蒸発器と、吸収器と、磁性フィルタとを備える外付け磁性フィルタ付き吸収式冷温水ユニットであって、磁性フィルタは吸収器外部に設けられ、ポンプ体を介して吸収器に配管接続され、ケーシング２およびろ過体３を備え、ケーシング２上に開閉可能なカバー体２１が設けられている。ケーシング２の液出口２２は液出弁２３を介してポンプ体の入口に配管接続され、ポンプ体の出口は吸収器に接続されており、ケーシング２の液入口２４は液入弁２５を介してポンプ体と吸収器の間に接続されているとともに、吸収器の筒体底部に配管接続されている。ケーシング２内では液体を注入して空気を取り除き、ユニットの真空状態を維持する。カバー体２１の頂部に二方弁４が設けられている。【選択図】図２
0003227200.tif 000002
【実用新案登録請求の範囲】
【請求項１】
発生器と、凝縮器と、蒸発器と、吸収器と、磁性フィルタとを備える外付け磁性フィルタ付き吸収式冷温水ユニットであって、前記磁性フィルタは、吸収器外部に設けられ、磁性フィルタは、ポンプ体を介して発生器、凝縮器、蒸発器および吸収器の少なくともひとつのデバイスに配管接続され、磁性フィルタは、ケーシングおよびろ過体を備え、ケーシング上に開閉可能なカバー体が設けられていることを特徴とする外付け磁性フィルタ付き吸収式冷温水ユニット。
【請求項２】
前記ケーシングの液出口は液出弁を介して前記ポンプ体の入口に配管接続され、ポンプ体の出口は吸収器に接続されていることを特徴とする請求項１に記載の外付け磁性フィルタ付き吸収式冷温水ユニット。
【請求項３】
前記ケーシングの液入口は液入弁を介してポンプ体と吸収器の間に接続されているとともに、吸収器の筒体底部に配管接続されていることを特徴とする請求項１に記載の外付け磁性フィルタ付き吸収式冷温水ユニット。
【請求項４】
前記ケーシング内は液体を注入して空気を除去し、ユニットの真空状態を維持することを特徴とする請求項１に記載の外付け磁性フィルタ付き吸収式冷温水ユニット。
【請求項５】
前記ろ過体とケーシングの液出口の間にもうひとつのろ過装置がさらに設けられていることを特徴とする請求項１から４のいずれか１項に記載の外付け磁性フィルタ付き吸収式冷温水ユニット。
【請求項６】
前記ろ過体の外部にシールドが設けられており、シールドの材質は耐食性の金属材質であることを特徴とする請求項１から４のいずれか１項に記載の外付け磁性フィルタ付き吸収式冷温水ユニット。
【請求項７】
前記ろ過体の数量は１つまたは複数であり、複数のろ過体はハウジング内にリング状を呈するように配設され、ろ過体は強磁石であることを特徴とする請求項１から４のいずれか１項に記載の外付け磁性フィルタ付き吸収式冷温水ユニット。
【請求項８】
前記カバー体とケーシングの間はコネクタを介して取り外し可能に接続されており、カバー体とケーシングの間はさらにシール部材により密封されていることを特徴とする請求項１から４のいずれか１項に記載の外付け磁性フィルタ付き吸収式冷温水ユニット。
【請求項９】
前記シールド付きのろ過体はカバー体に接続されていることを特徴とする請求項６に記載の外付け磁性フィルタ付き吸収式冷温水ユニット。
【請求項１０】
前記カバー体には二方弁が設けられていることを特徴とする請求項１から４のいずれか１項に記載の外付け磁性フィルタ付き吸収式冷温水ユニット。
【考案の詳細な説明】
【技術分野】
【０００１】
本考案は冷凍設備技術分野、特に外付け磁性フィルタ付き吸収式冷温水ユニットに関する。
【背景技術】
【０００２】
臭化リチウム冷温水ユニットの製造および運転の過程では溶液中に汚れが蓄積するが、その主要成分は鉄鋼等の金属の酸化物であり、ユニットのフィルタの詰まり、ノズルの詰まり、シールドポンプの詰まり等を引き起こしやすい。特にそのうち極細の酸化鉄等の物質は、機械のストレーナを通り抜けてシールドポンプのロータとシールドシェルの間に入り込むことができ、モータの磁場により吸引凝集されて、シールドポンプの詰まり、固着、ひいては焼損を引き起こす。
【０００３】
既存の機械フィルタはこれら極細粒子を除去できず、あるいはフィルタの抵抗が極めて大きく、さらにあるいはフィルタ自体が詰まりやすく、常にクリーニングを必要とする。非バイパスフィルタはひとたび詰まると必ず取り外して洗わなければならず、そうしなければユニットが作動できない。また、既存の機械フィルタおよび磁性フィルタは、クリーニング時にユニットを停止させて取り外す必要があり、あるいはクリーニング後に真空ポンプ等をつないで真空吸引を行う必要があり、こうして非凝縮性ガスがユニットに入って運転に影響するのを避けるが、操作が煩雑である一方で、ユニットを停止させて取り外すことは空調システムの正常な運転に影響する上、作業効率が低下する。
【０００４】
また、従来のフィルタの大多数はフィルタの入口をポンプ体の出口に接続し、ポンプ体の出口を利用して（揚程）作動する。しかし、フィルタをポンプの出口部につなげることはポンプの保護において意義が小さく、ろ過不純物をまずポンプ体を通過させた後でフィルタに入れる必要があるため、逆にポンプ体に一定の詰まり等をもたらしてしまう。
【考案の概要】
【考案が解決しようとする課題】
【０００５】
本考案の目的は、従来技術の上記課題を解決し、構造が簡単で、クリーニングがしやすく、手間が低減され、ろ過効果に優れ、作業効率の高い吸収式冷温水ユニットの外付け磁性フィルタを提供することにある。
【課題を解決するための手段】
【０００６】
本考案の技術手段は、発生器と、凝縮器と、蒸発器と、吸収器と、磁性フィルタとを備え、前記磁性フィルタは、吸収器外部に設けられ、ポンプ体を介して発生器、凝縮器、蒸発器および吸収器の少なくともひとつのデバイスに配管接続され、ケーシングおよびろ過体を備え、ケーシング上に開閉可能なカバー体が設けられている外付け磁性フィルタ付き吸収式冷温水ユニットである。
【０００７】
上記手段には、（１）磁性フィルタを外付けにすることで、クリーニング時に、ユニットを停止して、例えば、吸収器等のユニットの各デバイスを取り外したりする必要がなく、ケーシング上のカバー体を開けるだけで磁性フィルタのクリーニングを行うことができるとともに、ユニットはクリーニング時に継続して運転でき、作業効率が大幅に向上し、（２）構造が簡単で、ハウジング付きの磁性フィルタをひとつ追加し、配管を介して吸収器に接続するだけでよく、その他の部品および余計な配管を追加する必要がなく、生産コストが大幅に低減されるという利点がある。
【０００８】
上記手段において、磁性フィルタはニーズに応じてそれぞれポンプ体を介して発生器、凝縮器、蒸発器および吸収器の少なくともひとつのデバイス配管に接続することができ、通常各デバイスのいずれにもポンプ体が取り付けられ、一般に、例えば、発生ポンプ、吸収ポンプ、冷媒ポンプのひとつまたはいくつか等のシールドポンプが用いられ、磁性フィルタは対応するポンプ体に接続されて当該デバイス内の溶液をろ過することができる。
【０００９】
さらに、前記ケーシングの液出口は液出弁を介して前記ポンプ体の入口配管に接続され、ポンプ体の出口は吸収器に接続されている。ケーシングの液出口をポンプ体の入口に接続するのは、まずフィルタを通過した後でろ過不純物がポンプ体に入るようにすることで、ポンプ体が詰まらず、使用寿命が大幅に延びるのを保証するためである。本考案では、ケーシングの液出口をポンプ体の入口近くに設置して、ポンプ体の吸引力および流体噴射力を利用して動力を生成し、溶液の循環速度を高めることが好ましい。
【００１０】
さらに、前記ケーシングの液入口は液入弁を介してポンプ体と吸収器の間に接続されているとともに、吸収器の筒体底部に配管接続されている。こうすることで、不純物を収集しやすくしている。
【００１１】
さらに、前記ケーシング内では液体を注入して空気を除去し、ユニットの真空状態を維持する。液体は溶液または浄水であってよく、溶液および浄水はユニット作動媒体の成分であり、作動媒体の性能に影響しないとともに、例えば、臭化リチウム溶液等の溶液および浄水はユニットから得ることができる。
【００１２】
ケーシング内に液体を投入して満たせば、空気を取り除くことができてユニットに入るのを避けることができ、微量の非凝縮性ガスが残っていても液体の上に浮かんで装置の排気弁内部に滞留し、本装置の液体流路中にないため、磁性フィルタを通ってユニットに入ることがなく、真空ポンプをつなぐ等の複雑な操作を必要とせずにユニットの真空状態を維持することができ、構造および操作手順が大幅に簡素化され、コストが低減する。
【００１３】
さらに、前記ろ過体とケーシングの液出口の間にもうひとつのろ過装置がさらに設けられている。従来技術では、通常ろ過装置を吸収器のハウジング内に設け、ろ過装置に蓄積する不純物が比較的多いと、溶液のスムーズな流動が阻害されるのみならず、さらにユニットを停止させ取り外して洗わなければならないため、ユニットが作動できず、手間がかかり、作業効率が低い。本考案ではろ過装置を外付けのハウジング内に装着してろ過効率をさらに高め、非磁性の粒子がユニットまたはポンプ体に入るのを防いでいる。
【００１４】
さらに、前記ろ過体の外部にシールドが設けられており、シールドの材質は耐食性の金属材質である。シールドはろ過体を保護することができ、シールドの材質はステンレスが好ましい。
【００１５】
さらに、前記ろ過体の数量は１つまたは複数であり、複数のろ過体はハウジング内にリング状を呈するように配設することができ、ろ過体は強磁石である。複数のろ過体をリング状を呈するように配設することで、溶液のろ過時間を短縮し、ろ過効率を高めることができる一方で、ろ過容量が大きく、クリーニングの回数を減らすことができる。
【００１６】
ろ過体は強磁石であり、吸着能力が強く、間隔が広く（数ミリメートル〜数十ミリメートル）かつ動作抵抗が極めて低いとともに、ハウジングは吸着されたろ過スラグにより詰まることがなく、クリーニング作業を減らすことができ、本装置が收集した汚れにより詰まっても、ユニットの作動に影響しない。
【００１７】
強磁石は、例えば、オーステナイトステンレス、チタン、銅合金等の耐食性があり、非磁性、高強度の薄肉シェル材料を用いて封止され、溶液中の物質が磁鉄を腐食させるのを防いでいるとともに、吸着されたスラグを薄肉シェルからクリーニングしやすくしている。
【００１８】
さらに、前記カバー体とケーシングの間はコネクタを介して取り外し可能に接続されており、カバー体とケーシングの間はさらにシール部材により密封されている。コネクタはフランジ、ネジ、クリップ等であってよい。シール部材はＯリング、Ｄ型シール部材等であってよく、シール部材の材質はフッ素ゴム、水素化ニトリルゴム等の耐酸・アルカリ性および高温弾性材料であってよい。
【００１９】
さらに、前記シールド付きのろ過体はカバー体に接続されている。ろ過体をカバー体に接続するのは、カバー体を取り外したとき、カバー体がろ過体にともに接続された状態でクリーニングすることができ、ろ過体を一本ずつ取り外す必要がなく、手間が省けるためである。
【００２０】
さらに、前記カバー体には二方弁が設けられている。二方弁は真空吸引に用いることができるが、もちろん二方弁を用いずに、臭化リチウム溶液または浄水を直接注入して空気を取り除き、空気がユニットシステムに入るのを避けてもよい。
【考案の効果】
【００２１】
本考案の有益な効果は以下のとおりである。
（１）外付けフィルタを用いて吸着させ、ろ過スラグが多く詰まってもユニットの正常な運転に影響しない。
（２）磁性フィルタを用いてユニットのポンプ体の動力を利用し、追加の電力を必要としない。
（３）真空ポンプの補助作業を必要とせずとも、非凝縮性ガスがユニットに入らない。
（４）鉄磁性スラグのみ除去され、溶液はほぼ損耗されない。
（５）一台の冷温水ユニットに複数のろ過体を配置して運転することができ、冷温水ユニットをクリーニングし乾燥させた後、ろ過体を繰り返し使用し、あるいは回収して他のユニットで使用することができる。
（６）ポンプ体が詰まらないことが保証され、耐用寿命が大幅に延びる。
【図面の簡単な説明】
【００２２】
【図１】本考案の実施例の構造模式図である。
【図２】本考案の実施例の磁性フィルタの構造模式図である。
【考案を実施するための形態】
【００２３】
以下では、明細書の図面と具体的な実施例を組み合わせて本考案についてさらに詳しく説明する。
【実施例】
【００２４】
図１および図２に示すように、発生器と、凝縮器と、蒸発器と、吸収器と、磁性フィルタ１とを備える外付け磁性フィルタ付き吸収式冷温水ユニットであって、磁性フィルタ１は吸収器外部に設けられ、ポンプ体を介して吸収器に配管接続され、ケーシング２およびろ過体３を備え、ケーシング２上に開閉可能なカバー体２１が設けられている。
【００２５】
ケーシング２の液出口２２は液出弁２３を介してポンプ体の入口に配管接続され、ポンプ体の出口は吸収器に接続されており、ケーシング２の液入口２４は液入弁２５を介してポンプ体と吸収器の間に接続されているとともに、吸収器の筒体底部に配管接続されている。ケーシング２内では液体を注入して空気を取り除き、ユニットの真空状態を維持する。カバー体２１の頂部に二方弁４が設けられている。液出弁２３、液入弁２５、二方弁４はいずれも真空弁である。
【００２６】
ろ過体３とケーシング２の液出口２２の間にろ過網５がさらに設けられている。取り出しやすいように、ろ過網５上にリフティングリング５１を設けてもよい。
【００２７】
ろ過体３の外部にシールド３１が設けられており、シールド３１の材質はステンレスである。ろ過体３は強磁石で、数量は四つであり、カバー体２１上に対称に設置されており、即ち、シールド３１付きのろ過体３はフランジによりカバー体２１に接続されている。カバー体２１とケーシング２の間はボルトにより接続されており、カバー体２１とケーシング２の間はさらにシール部材６により密封されており、シール部材６はＯリングである。
【００２８】
本実施例の作動原理は、
（１）液入弁、液出弁を閉じ、二方弁を開くステップと、
（２）初回使用時に、抽気口（二方弁出口）から真空吸引を行うか、真空弁を用いずに、ハウジング内に臭化リチウム溶液または浄水を注入して空気を取り除くことで、空気または非凝縮性ガスがユニットシステムに入るのを避けるステップと、
（３）二方弁を閉じるステップと、
（４）液入弁、液出弁を開けるステップと、
（５）ユニットのポンプ体の運転を利用して、吸収器内の一部の溶液を磁性フィルタに入れ、そのうちの強磁性物質（鉄およびその酸化物等）をろ過体により吸着して捕集し、そのうちの溶液中の強磁性スラグを吸着させることで、ポンプが固着し、ストレーナが詰まり、ノズルが詰まる等するのを避けることができ、清浄に処理された溶液をストレーナを介して再びろ過した後にユニットに入れるステップと、
（６）液入弁および液出弁を閉じ、二方弁を開けるステップと、
（７）カバー体を開き、シールド付きのろ過体およびろ過網を取り出して、吸着および遮断された汚物をクリーニングするステップと、
（８）ステップ（２）〜（５）に戻り、継続的に汚れをろ過および吸着し、これを何度か繰り返した後、溶液中の不純物が清浄に除去されるステップと、を含む。
【図１】
0003227200.tif 000003
【図２】
0003227200.tif 000004